(57)【要約】【課題】  二酸化炭素の排出を抑制すべく二酸化炭素排出権の取引を容易に行える方法及びシステムを提供する。【解決手段】  エンティティでの実際の二酸化炭素の排出量が取得している二酸化炭素排出権に応じた排出量より多い場合に、その超過分に見合った二酸化炭素排出権を取得するように、センタ１がそのエンティティへ指示を送る。太陽光発電をエンティティが行った場合、その発電量に応じた二酸化炭素排出権をセンタ１がそのエンティティへ付与する。インターネット２上で二酸化炭素排出権の取引（売買）を行う。二酸化炭素排出権の売買価格は、センタ１にて決定するか、または、変動相場制で決定する。【選択図】図１
2007080299.tif 000002
【特許請求の範囲】
【請求項１】
データ通信網にセンタと複数のエンティティとが接続されており、前記センタの制御によって二酸化炭素排出権を前記データ通信網上で取引する二酸化炭素排出権の取引方法であって、
前記複数のエンティティの中の１または複数のエンティティは発電設備を有しており、該発電設備の発電量に基づく二酸化炭素排出権を前記センタがエンティティに割り当てることを特徴とする二酸化炭素排出権の取引方法。
【請求項２】
データベースを有するセンタと複数のエンティティとがデータ通信網に接続されており、前記センタの制御によって二酸化炭素排出権を前記エンティティ間で取引する二酸化炭素排出権の取引方法であって、
発電設備を有する第１のエンティティに、前記データ通信網を介して通知された前記発電設備の発電量に基づく二酸化炭素排出権を割り当てると共に、割り当てられた二酸化炭素排出権の情報及びその二酸化炭素排出権を有する前記第１のエンティティの情報を前記データベースに格納するステップと、
前記データベースにアクセスした第２のエンティティへ前記センタから前記データ通信網を介して、前記データベースに格納されている前記二酸化炭素排出権の情報及び前記第１のエンティティの情報を提供するステップと
を有することを特徴とする二酸化炭素排出権の取引方法。
【請求項３】
前記データベースにアクセスした二酸化炭素排出権の取得を希望する前記第２のエンティティから前記センタへ前記データ通信網を介して、取得を希望する二酸化炭素排出権の情報と、その二酸化炭素排出権を有する第３のエンティティの情報と、前記第２のエンティティの情報とを伝えるステップと、
前記第３のエンティティへ前記センタから前記データ通信網を介して、二酸化炭素排出権の取得を希望する前記第２のエンティティの情報及び前記第２のエンティティが取得を希望する二酸化炭素排出権の情報を通知するステップと
を有する請求項２記載の二酸化炭素排出権の取引方法。
【請求項４】
エンティティとデータベースを有するセンタとがデータ通信網に接続されており、前記センタの制御によって前記エンティティの二酸化炭素排出権を前記データ通信網上で取引する二酸化炭素排出権の取引方法であって、
二酸化炭素を直接的または間接的に排出する前記エンティティが予め取得した二酸化炭素排出権の情報を前記データベースに格納するステップと、
前記データ通信網を介して前記エンティティから前記センタへ通知された前記エンティティにおける二酸化炭素排出量と、前記データベースに格納されている二酸化炭素排出権の情報に応じた二酸化炭素排出量とを比較するステップと、
前記データベースにアクセスした前記エンティティへ前記センターから前記データ通信網を介して、前記エンティティにおけるその比較結果を通知するステップと、
前記エンティティから前記センタへ前記データ通信網を介して、前記エンティティが前記比較結果に応じて取得を希望する二酸化炭素排出権の情報を伝えるステップと
を有することを特徴とする二酸化炭素排出権の取引方法。
【請求項５】
エンティティとデータベースを有するセンタとがデータ通信網に接続されており、前記センタの制御によって前記エンティティの二酸化炭素排出権を前記データ通信網上で取引する二酸化炭素排出権の取引方法であって、
二酸化炭素を直接的または間接的に排出する前記エンティティが予め取得した二酸化炭素排出権の情報を前記データベースに格納するステップと、
前記データ通信網を介して前記エンティティから前記センタへ通知された前記エンティティにおける二酸化炭素排出量と、前記データベースに格納されている二酸化炭素排出権の情報に応じた二酸化炭素排出量とを比較するステップと、
通知された前記二酸化炭素排出量が前記二酸化炭素排出権の情報に応じて決定される前記二酸化炭素排出量を超えた場合に、前記センタから前記エンティティへその旨を前記データ通信網を介して通知するステップと、
前記エンティティから前記センタへ前記データ通信網を介して、前記エンティティがその通知に応じて取得を希望する二酸化炭素排出権の情報を伝えるステップと
を有することを特徴とする二酸化炭素排出権の取引方法。
【請求項６】
第１のデータベース及び第２のデータベースを有するセンタと複数のエンティティとがデータ通信網に接続されており、前記センタの制御によって二酸化炭素排出権を前記エンティティ間で取引する二酸化炭素排出権の取引方法であって、
発電設備を有する第１のエンティティに、前記データ通信網を介して通知された前記発電設備の発電量に基づく二酸化炭素排出権を割り当てると共に、割り当てられた二酸化炭素排出権の情報及びその二酸化炭素排出権を有する前記第１のエンティティの情報を前記第１のデータベースに格納するステップと、
二酸化炭素を直接的または間接的に排出する第２のエンティティが予め取得した二酸化炭素排出権の情報を前記第２のデータベースに格納するステップと、
前記データ通信網を介して通知された前記第２のエンティティにおける二酸化炭素排出量と、前記第２のデータベースに格納されている二酸化炭素排出権の情報に応じた二酸化炭素排出量とを比較するステップと、
前記第１のデータベースにアクセスした第３のエンティティへ前記センタから前記データ通信網を介して、前記第１のデータベースに格納されている二酸化炭素排出権の情報及び前記第１のエンティティの情報を提供するステップと
前記第２のデータベースにアクセスした前記第２のエンティティへ前記センタから前記データ通信網を介して、前記第２のエンティティにおけるその比較結果を通知するステップと
を有することを特徴とする二酸化炭素排出権の取引方法。
【請求項７】
前記第２のエンティティから前記センタへ前記データ通信網を介して、前記第２のエンティティが取得を希望する二酸化炭素排出権の情報を伝えるステップを有する請求項６記載の二酸化炭素排出権の取引方法。
【請求項８】
前記第２のエンティティから前記センタへ前記データ通信網を介して、前記第２のエンティティが取得を希望する二酸化炭素排出権の情報と、その二酸化炭素排出権を有する第４のエンティティの情報と、前記第２のエンティティの情報とを伝えるステップと、
前記第４のエンティティへ前記センタから前記データ通信網を介して、二酸化炭素排出権の取得を希望する前記第２のエンティティの情報及び前記第２のエンティティが取得を希望する二酸化炭素排出権の情報を通知するステップと
を有する請求項６記載の二酸化炭素排出権の取引方法。
【請求項９】
前記二酸化炭素を直接的または間接的に排出するエンティティと、前記二酸化炭素排出権を有するエンティティとの間で、二酸化炭素排出権の売買を行うステップを有する請求項６〜８の何れかに記載の二酸化炭素排出権の取引方法。
【請求項１０】
データ通信網にセンタと複数のエンティティとが接続されており、前記センタの制御によって二酸化炭素排出権を前記エンティティ間で取引する二酸化炭素排出権の取引システムであって、
前記センタは、
発電設備を有する第１のエンティティに前記データ通信網を介して通知された前記発電設備の発電量に基づいて割り当てられる二酸化炭素排出権の情報、及び、その二酸化炭素排出権を有する前記第１のエンティティの情報を格納する第１のデータベースと、
二酸化炭素を直接的または間接的に排出する第２のエンティティが予め取得した二酸化炭素排出権の情報を格納する第２のデータベースと、
前記データ通信網を介して通知された前記第２のエンティティにおける二酸化炭素排出量と、前記第２のデータベースに格納されている前記二酸化炭素排出権の情報に応じた二酸化炭素排出量とを比較する手段と、
前記第１のデータベースにアクセスした第３のエンティティへ前記データ通信網を介して、前記第１のデータベースに格納されている二酸化炭素排出権の情報及び前記第１のエンティティの情報を提供する手段と、
前記第２のデータベースにアクセスした前記第２のエンティティへ前記データ通信網を介して、前記第２のエンティティにおけるその比較結果を通知する手段と
を備えることを特徴とする二酸化炭素排出権の取引システム。
【請求項１１】
前記センタは、
前記第２のエンティティから前記データ通信網を介して、前記第２のエンティティが取得を希望する二酸化炭素排出権の情報と、その二酸化炭素排出権を有する第４のエンティティの情報と、前記第２のエンティティの情報とを受ける手段と、
前記第４のエンティティへ前記データ通信網を介して、二酸化炭素排出権の取得を希望する前記第２のエンティティの情報及び前記第２のエンティティが取得を希望する二酸化炭素排出権の情報を通知する手段と
を備える請求項１０記載の二酸化炭素排出権の取引システム。
【請求項１２】
前記センタは、前記第１のエンティティと前記第２のエンティティとの間での二酸化炭素排出権の売買を前記データ通信網上で制御する手段を備える請求項１０または１１記載の二酸化炭素排出権の取引システム。
【発明の詳細な説明】
【技術分野】
【０００１】
本発明は、二酸化炭素排出権の取引を可能にした二酸化炭素排出権の取引方法及び取引システムに関する。
【背景技術】
【０００２】
近年、地球温暖化の原因となる二酸化炭素の排出量を抑制するための制度作りが全世界的に試みられている。二酸化炭素の排出を抑制するための制度として、課徴金制度と排出権市場制度とが考えられている。
【０００３】
課徴金制度は、例えば国（政府）が二酸化炭素の排出に際して各企業から料金を徴収する制度であり、１次エネルギの量から計算される二酸化炭素の排出量に比例して燃料の価格に課徴金を付加する方式と、実際に二酸化炭素が排出された時点で課徴金をかける方式とが存在する。
【０００４】
一方、排出権市場制度とは、全世界的または各国内に、二酸化炭素排出権（二酸化炭素を排出できる権利）という概念を導入し、その二酸化炭素排出権を取引できるようにした制度である。各エンティティ（国，企業，商店または家庭等）は、直接的に二酸化炭素を排出する行為（例えば、機械作動のためのエネルギー消費，車両走行によるガソリン消費など）．間接的に二酸化炭素を排出する行為（例えば、石炭の採掘処理，ガソリンの販売など）を行った場合には、その排出した二酸化炭素の量に応じた二酸化炭素排出権を支払う義務が課せられることを前提としている。
【０００５】
よって、各エンティティは、予め金銭を支払って二酸化炭素排出権を取得しておき、二酸化炭素を排出する行為を行う毎に、取得した二酸化炭素排出権を支払う。取得しておいた二酸化炭素排出権に応じた二酸化炭素排出量を超えて多量の二酸化炭素を排出した場合には更なる二酸化炭素排出権を買い取らなければならない。一方、取得しておいた二酸化炭素排出権に応じた二酸化炭素排出量より少なく二酸化炭素の排出量を抑えた場合には余った二酸化炭素排出権を売ることができる。このようにして各エンティティ間で、二酸化炭素排出権の売買が成立する。なお、このような売買に限らず、譲渡，他の商品との交換等によっても、エンティティ間での二酸化炭素排出権の取引は成立する。
【０００６】
このような排出権市場制度にあって、二酸化炭素の排出を抑制する事業（植林，化石燃料を使用しない自然エネルギの開発等）を行ったエンティティには、新規に二酸化炭素排出権を与えるようにした場合、地球環境の改善にも結び付けることが可能であり、排出権市場制度は二酸化炭素抑制の大きな効果が見込める将来の有効な制度と見なされている。
【発明の開示】
【発明が解決しようとする課題】
【０００７】
この排出権市場制度は有効であると考えられるが、その実施運営にあたっては、各エンティティにおける二酸化炭素の排出量を正確に計量しない場合には二酸化炭素排出権の正常な取引を行えないので如何にして各エンティティの二酸化炭素の排出量の情報を得るのか、二酸化炭素排出権の取引を行う市場をどのように構築するのか等、解決しなければならない諸問題も多く存在する。よって、現状ではいろいろな種類の実施方法が検討されている段階であり、実際の制度化は未だになされていない。
【０００８】
本発明は斯かる事情に鑑みてなされたものであり、上述したような諸問題を解決できて実現性が高い新規の排出権市場制度を構築できる二酸化炭素排出権の取引方法及びシステムを提供することを目的とする。
【課題を解決するための手段】
【０００９】
第１発明に係る二酸化炭素排出権の取引方法は、二酸化炭素排出権をデータ通信網上で取引することを特徴とする。
【００１０】
第２発明に係る二酸化炭素排出権の取引方法は、発電設備を有する第１のエンティティに、データ通信網を介して通知された前記発電設備の発電量に基づく二酸化炭素排出権を割り当てると共に、割り当てられた二酸化炭素排出権の情報及びその二酸化炭素排出権を有する前記第１のエンティティの情報をデータベースに格納するステップと、前記データベースにアクセスした第２のエンティティへデータ通信網を介して、前記データベースに格納されている前記二酸化炭素排出権の情報及び前記第１のエンティティの情報を提供するステップとを有することを特徴とする。
【００１１】
第３発明に係る二酸化炭素排出権の取引方法は、第２発明において、前記データベースにアクセスした二酸化炭素排出権の取得を希望する前記第２のエンティティからデータ通信網を介して、取得を希望する二酸化炭素排出権の情報と、その二酸化炭素排出権を有する第３のエンティティの情報と、前記第２のエンティティの情報とを伝えるステップと、前記第３のエンティティへデータ通信網を介して、二酸化炭素排出権の取得を希望する前記第２のエンティティの情報及び前記第２のエンティティが取得を希望する二酸化炭素排出権の情報を通知するステップとを有することを特徴とする。
【００１２】
第４発明に係る二酸化炭素排出権の取引方法は、二酸化炭素を直接的または間接的に排出するエンティティが予め取得した二酸化炭素排出権の情報をデータベースに格納するステップと、データ通信網を介して通知された前記エンティティにおける二酸化炭素排出量と、前記データベースに格納されている二酸化炭素排出権の情報に応じた二酸化炭素排出量とを比較するステップと、前記データベースにアクセスした前記エンティティへデータ通信網を介して、前記エンティティにおけるその比較結果を通知するステップと、前記エンティティからデータ通信網を介して、前記エンティティが前記比較結果に応じて取得を希望する二酸化炭素排出権の情報を伝えるステップとを有することを特徴とする。
【００１３】
第５発明に係る二酸化炭素排出権の取引方法は、二酸化炭素を直接的または間接的に排出するエンティティが予め取得した二酸化炭素排出権の情報をデータベースに格納するステップと、データ通信網を介して通知された前記エンティティにおける二酸化炭素排出量と、前記データベースに格納されている二酸化炭素排出権の情報に応じた二酸化炭素排出量とを比較するステップと、通知された前記二酸化炭素排出量が前記二酸化炭素排出権の情報に応じて決定される前記二酸化炭素排出量を超えた場合に、前記エンティティへその旨をデータ通信網を介して通知するステップと、前記エンティティからデータ通信網を介して、前記エンティティがその通知に応じて取得を希望する二酸化炭素排出権の情報を伝えるステップとを有することを特徴とする。
【００１４】
第６発明に係る二酸化炭素排出権の取引方法は、発電設備を有する第１のエンティティに、データ通信網を介して通知された前記発電設備の発電量に基づく二酸化炭素排出権を割り当てると共に、割り当てられた二酸化炭素排出権の情報及びその二酸化炭素排出権を有する前記第１のエンティティの情報を第１のデータベースに格納するステップと、二酸化炭素を直接的または間接的に排出する第２のエンティティが予め取得した二酸化炭素排出権の情報を第２のデータベースに格納するステップと、データ通信網を介して通知された前記第２のエンティティにおける二酸化炭素排出量と、前記第２のデータベースに格納されている二酸化炭素排出権の情報に応じた二酸化炭素排出量とを比較するステップと、前記第１のデータベースにアクセスした第３のエンティティへデータ通信網を介して、前記第１のデータベースに格納されている二酸化炭素排出権の情報及び前記第１のエンティティの情報を提供するステップと前記第２のデータベースにアクセスした前記第２のエンティティへデータ通信網を介して、前記第２のエンティティにおけるその比較結果を通知するステップとを有することを特徴とする。
【００１５】
第７発明に係る二酸化炭素排出権の取引方法は、第６発明において、前記第２のエンティティからデータ通信網を介して、前記第２のエンティティが取得を希望する二酸化炭素排出権の情報を伝えるステップを有することを特徴とする。
【００１６】
第８発明に係る二酸化炭素排出権の取引方法は、第６発明において、前記第２のエンティティからデータ通信網を介して、前記第２のエンティティが取得を希望する二酸化炭素排出権の情報と、その二酸化炭素排出権を有する第４のエンティティの情報と、前記第２のエンティティの情報とを伝えるステップと、前記第４のエンティティへデータ通信網を介して、二酸化炭素排出権の取得を希望する前記第２のエンティティの情報及び前記第２のエンティティが取得を希望する二酸化炭素排出権の情報を通知するステップとを有することを特徴とする。
【００１７】
第９発明に係る二酸化炭素排出権の取引方法は、第６〜第８発明の何れかにおいて、前記二酸化炭素を直接的または間接的に排出するエンティティと、前記二酸化炭素排出権を有するエンティティとの間で、二酸化炭素排出権の売買を行うステップを有することを特徴とする。
【００１８】
第１０発明に係る二酸化炭素排出権の取引システムは、発電設備を有する第１のエンティティにデータ通信網を介して通知された前記発電設備の発電量に基づいて割り当てられる二酸化炭素排出権の情報、及び、その二酸化炭素排出権を有する前記第１のエンティティの情報を格納する第１のデータベースと、二酸化炭素を直接的または間接的に排出する第２のエンティティが予め取得した二酸化炭素排出権の情報を格納する第２のデータベースと、前記データ通信網を介して通知された前記第２のエンティティにおける二酸化炭素排出量と、前記第２のデータベースに格納されている前記二酸化炭素排出権の情報に応じた二酸化炭素排出量とを比較する手段と、前記第１のデータベースにアクセスした第３のエンティティへ、前記第１のデータベースに格納されている二酸化炭素排出権の情報及び前記第１のエンティティの情報を提供する手段と、前記第２のデータベースにアクセスした前記第２のエンティティへ、前記第２のエンティティにおけるその比較結果を通知する手段とを備えることを特徴とする。
【００１９】
第１１発明に係る二酸化炭素排出権の取引システムは、第１０発明において、前記第２のエンティティから、前記第２のエンティティが取得を希望する二酸化炭素排出権の情報と、その二酸化炭素排出権を有する第４のエンティティの情報と、前記第２のエンティティの情報とを伝える手段と、前記第４のエンティティへ、二酸化炭素排出権の取得を希望する前記第２のエンティティの情報及び前記第２のエンティティが取得を希望する二酸化炭素排出権の情報を通知する手段とを備えることを特徴とする。
【００２０】
第１２発明に係る二酸化炭素排出権の取引システムは、第１０または第１１発明において、前記第１のエンティティと前記第２のエンティティとの間での二酸化炭素排出権の売買をデータ通信網上で行う手段を備えることを特徴とする。
【００２１】
図６は、本発明の二酸化炭素排出権の取引システムの原理構成を示す模式図である。図１において、センタ１と各エンティティＡ，Ｂ，…，Ｚとの間で、データ通信網２０を介して種々の情報が送受信されるようになっている。本発明では、このデータ通信網２０上で二酸化炭素排出権が取引される。センタ１は、各エンティティにおける二酸化炭素排出権に関する情報を格納しておくためのデータベースを有する。
【００２２】
第１発明にあっては、二酸化炭素排出権の取引がデータ通信網上で行われる。よって、二酸化炭素排出権の取引を容易に行え、二酸化炭素排出権の市場が活性化する。
【００２３】
図７は、第２，第３，第６，第８，第１０，第１１発明における処理手順を示すフローチャートである。エンティティに設けられた発電設備により発電がなされた場合に、その発電量に応じた二酸化炭素排出権がそのエンティティに対してセンタ１で割り当てられる（ステップＳ２１）と共に、その割り当て情報がセンタ１内のデータベースに格納される（ステップＳ２２）。
【００２４】
そして、このデータベースに他のエンティティがアクセスした場合（ステップＳ２３：ＹＥＳ）、格納されている情報がそのエンティティへセンタ１から提供される（ステップＳ２４）。そして、そのエンティティから二酸化炭素排出権の取得を希望する情報が入力された場合には（ステップＳ２５：ＹＥＳ）、その入力情報により指定されたエンティティへセンタ１からその入力情報が通知される（ステップＳ２６）。
【００２５】
第２，第６，第１０発明にあっては、二酸化炭素排出権の取得を希望するエンティティがセンタのデータベースにアクセスしてきた場合に、そのエンティティへ、二酸化炭素排出権の情報，二酸化炭素排出権を有しているエンティティの情報が通知される。
【００２６】
また第３，第８，第１１発明にあっては、二酸化炭素排出権を有するエンティティへ、二酸化炭素排出権の取得を希望するエンティティの存在が通知される。
【００２７】
図８は、第４，第６，第７，第１０発明における処理手順を示すフローチャートである。エンティティが取得している二酸化炭素排出権の情報を、センタ１のデータベースに格納する（ステップＳ３１）。エンティティで排出された二酸化炭素の量がセンタ１に入力され（ステップＳ３２）、その二酸化炭素排出量とデータベースに格納されている二酸化炭素排出権の情報に応じた二酸化炭素排出量とが比較される（ステップＳ３３）。そして、このデータベースにエンティティがアクセスした場合（ステップＳ３４：ＹＥＳ）、その比較結果がそのエンティティへ通知される（ステップＳ３５）。そのエンティティから二酸化炭素排出権の取得希望があった場合には（ステップＳ３６：ＹＥＳ）、その取得希望情報がセンタ１へ入力される（ステップＳ３７）。
【００２８】
第４，第６，第７，第１０発明にあっては、二酸化炭素を排出するエンティティが保有する二酸化炭素排出権に応じた排出量と実際に排出した二酸化炭素の量とが比較され、その比較結果がエンティティに通知される。そして、二酸化炭素排出権の取得をそのエンティティが希望する場合には。その条件が入力される。
【００２９】
図９は、第５発明における処理手順を示すフローチャートである。エンティティが取得している二酸化炭素排出権の情報を、センタ１のデータベースに格納する（ステップＳ４１）。エンティティで排出された二酸化炭素の量がセンタ１に入力され（ステップＳ４２）、その二酸化炭素排出量とデータベースに格納されている二酸化炭素排出権の情報に応じた二酸化炭素排出量とが比較される（ステップＳ４３）。前者の二酸化炭素排出量が後者の二酸化炭素排出量を超えている場合には（ステップＳ４４：ＹＥＳ）、その旨がそのエンティティへ通知される（ステップＳ４５）。そして、その通知に応じた二酸化炭素排出権の取得を希望する情報がそのエンティティからセンタ１へ入力される（ステップＳ４６）。
【００３０】
第５発明にあっては、二酸化炭素を排出するエンティティが保有する二酸化炭素排出権に応じた排出量と実際に排出した二酸化炭素の量とが比較され、後者が前者を超えた場合には、その旨がエンティティへ通知される。そして、二酸化炭素排出権の取得をそのエンティティが希望する場合には。その条件が入力される。
【００３１】
第９，第１２発明にあっては、二酸化炭素を排出するエンティティと二酸化炭素排出権を保有するエンティティとの間で、二酸化炭素排出権が売買される。二酸化炭素排出権が新しい損益を生むようになり、二酸化炭素の排出抑制に対する意識が高められる。
【発明の効果】
【００３２】
第１発明の二酸化炭素排出権の取引方法では、二酸化炭素排出権の取引をデータ通信網上で行うようにしたので、二酸化炭素排出権の取引を容易に行うことができ、二酸化炭素排出権の市場の活性化を期待できる。
【００３３】
第２，第６発明の二酸化炭素排出権の取引方法及び第１０発明の二酸化炭素排出権の取引システムでは、二酸化炭素排出権の取得を希望するエンティティがセンタのデータベースにアクセスしてきた場合に、そのエンティティへ、二酸化炭素排出権の情報，二酸化炭素排出権を有しているエンティティの情報を通知するようにしたので、二酸化炭素排出権の取得を希望するエンティティが情報を容易に知ることができる。
【００３４】
第３，第８発明の二酸化炭素排出権の取引方法及び第１１発明の二酸化炭素排出権の取引システムでは、二酸化炭素排出権を有するエンティティに、二酸化炭素排出権の取得を希望するエンティティの存在を通知するようにしたので、取得希望のエンティティを容易に知ることができる。
【００３５】
第４，第６，第７発明の二酸化炭素排出権の取引方法及び第１０発明の二酸化炭素排出権の取引システムでは、二酸化炭素を排出するエンティティが保有する二酸化炭素排出権に応じた排出量と実際に排出した二酸化炭素の量とを比較し、その比較結果をエンティティに通知するようにしたので、その比較結果に基づいて適切な二酸化炭素排出権の取得を行うことができる。
【００３６】
第５発明の二酸化炭素排出権の取引方法では、二酸化炭素を排出するエンティティが保有する二酸化炭素排出権に応じた排出量と実際に排出した二酸化炭素の量とが比較し、後者が前者を超えた場合には、その旨をエンティティへ通知するようにしたので、必要な二酸化炭素排出権の取得を迅速に行うことができる。
【００３７】
第９発明の二酸化炭素排出権の取引方法及び第１２発明の二酸化炭素排出権の取引システムでは、二酸化炭素を排出するエンティティと二酸化炭素排出権を保有するエンティティとの間で、二酸化炭素排出権を売買するようにしたので、二酸化炭素排出権が新しい損益を生むことになり、二酸化炭素の排出抑制に対する意識を高めることができる。
【発明を実施するための最良の形態】
【００３８】
以下、本発明をその実施の形態を示す図面を参照して具体的に説明する。
【００３９】
図１は、本発明の二酸化炭素排出権の取引システムの構成を示す模式図である。図１において、１はこの二酸化炭素排出権の取引システムにおいて中心的な存在であるセンタを示す。このセンタ１としては、例えば信頼できる社会の公的機関を該当できる。
【００４０】
このセンタ１と、このシステムを利用する各エンティティＡ，Ｂ，…，Ｚとの間で、インターネット２を介して後述する種々の情報が送受信されるようになっている。これらのエンティティは、具体的には、二酸化炭素を排出する会社，工場，事務所，商店，一般家庭等である。
【００４１】
各エンティティには、自身が排出する二酸化炭素の排出量を経時的に計量する排出量モニタ装置３と、太陽光発電により生成した電力量を経時的に計量する電力量モニタ装置４とが設けられている。この排出量モニタ装置３は、センタ１で厳重に検定されたモデム付きの電力量計，ガスメータ等を含んでおり、インターネット２に接続されていて、二酸化炭素の排出量のデータがセンタ１に逐次送られて、センタ１内のサーバに取り込まれるようになっている。また、この電力量モニタ装置４は、センタ１で厳重に検定されたモデム付きの電力量計等を含んでおり、インターネット２に接続されていて、太陽光発電による電力量のデータがセンタ１に逐次送られて、センタ１内のサーバに取り込まれるようになっている。
【００４２】
そして、センタ１は，各エンティティの二酸化炭素の排出量及び太陽光発電による電力量をモニタしている。このように、センタ１にて厳重に検定された計器を用いて計量された二酸化炭素の排出量及び太陽光発電の電力量の情報が，インターネット２を介して経時的に送信されるので、センタ１は正確で最新のデータを容易に取得することが可能である。また、各エンティティでの二酸化炭素の排出量及び太陽光発電の電力量がセンタ１にて正しくモニタされるので、不公平感が払拭される。
【００４３】
図２は、センタ１の機能構成を示すブロック図であり、センタ１は、ＣＰＵ１１とＲＯＭ１２とＲＡＭ１３と通信インタフェース１４と第１データベース１５と第２データベース１６とを有する。ＣＰＵ１１は、バス１７を介してこれらのハードウェア各部と接続されていて、それらを制御すると共に、ＲＯＭ１２に格納されたコンピュータプログラムに従って、種々のソフトウェア的機能を実行する。
【００４４】
ＲＯＭ１２は、本発明の二酸化炭素排出権の取引方法の動作に必要な種々のソフトウェアのプログラムを予め格納している。ＲＡＭ１３は、ソフトウェアの実行時に発生する一時的なデータを記憶する。通信インタフェース１４は、インターネット２を介する情報の送受信を制御する。第１データベース１５は、エンティティによる太陽光発電で得られた発電量に基づいて割り当てられる二酸化炭素排出権の情報、及び、その二酸化炭素排出権を有するエンティティの情報を格納する。第２データベース１６は、二酸化炭素を排出するエンティティが取得している二酸化炭素排出権の情報を格納する。
【００４５】
センタ１は、各エンティティが二酸化炭素を排出できる権利である二酸化炭素排出権を各エンティティ毎に管理している。この二酸化炭素排出権は、所定量（例えば１ｋｇ）の二酸化炭素を排出する権利を１単位数として数量化されており、売買可能であって、その売買価格はセンタ１が決定する。よって、二酸化炭素排出権の売買価格を公的機関等で調整できる。
【００４６】
二酸化炭素排出権の購入または売却を希望するエンティティは、その購入単位数または売却単位数を、インターネット２を介してセンタ１へ送信する。また、購入代金または売却代金はインターネット２による電子マネー（例えばｅ−キャッシュ）によって決済される。このように、二酸化炭素排出権の売買がインターネット２上でなされるので、その売買を容易に行え、各エンティティが有する二酸化炭素排出権の管理も簡便に行える。また、二酸化炭素排出権の売買が容易になるので二酸化炭素排出権の市場が活性化し、この二酸化炭素排出権が新規の損益をもたらすようになり、二酸化炭素の排出抑制に対する意識も高まる。
【００４７】
次に、このような二酸化炭素排出権の売買が行われる状況について、図３のフローチャートを参照して説明する。この二酸化炭素排出権の取引システムに参加している各エンティティが取得した二酸化炭素排出権と各エンティティでの太陽光発電による発電量とはセンタ１にてモニタされている（ステップＳ１）。この各エンティティが取得している二酸化炭素排出権は、第２データベース１６に格納される。あるエンティティでの二酸化炭素の排出量がそのエンティティが取得している二酸化炭素排出権に応じた二酸化炭素排出量より多くなった場合（ステップＳ２：ＹＥＳ）、その超過分に相当する単位数の二酸化炭素排出権を購入するようにという指示を、センタ１がインターネット２を介してそのエンティティへ送る（ステップＳ３）。この指示を受け取ったそのエンティティは、指示に応じて二酸化炭素排出権を購入する。このように強制的に二酸化炭素排出権の購入を指示するようにした場合に、公的なセンタ１を中心としたシステムの強化を図れる。
【００４８】
一方、各エンティティが自身に備えた太陽光発電システムを稼動させて発電を行った場合、その発電量に相当する分の二酸化炭素排出権がセンタ１から各エンティティへ付与される。エンティティにおける発電量はセンタ１にてモニタされており（Ｓ１）、太陽光発電が行われた場合（ステップＳ４：ＹＥＳ）、その発電量に応じた単位数の二酸化炭素排出権を得たことがそのエンティティへインターネット２を介して伝えられる（ステップＳ５）。このようにして獲得された二酸化炭素排出権は、各エンティティ毎にセンタ１内の第１データベース１５に格納され、その売却を各エンティティの判断で自由に行える。電気事業審議会基本政策部会の資料によると、現在、電力会社では１ｋＷｈの昼間の電力を発電するのに１０３ｇの二酸化炭素を排出している。従って、例えば、太陽光発電によって得られる１ｋＷｈの発電量を、１０３ｇの二酸化炭素を排出できる二酸化炭素排出権に換算する。よって、太陽光発電は、電力料金以外にも新しい利益を創出でき、その発電が促進される。
【００４９】
なお、上述した例では、二酸化炭素の排出量及び太陽光発電の発電量の管理と、二酸化炭素排出権の売買とを、同一のセンタ１にて行うようにしたが、別々の機関にて夫々の処理を行うようにしても良い。
【００５０】
また、上述した例では、二酸化炭素排出権の売買価格をセンタ１が決定する（定額制）ようにしたが、現在の株式取引と同様に、売り手と買い手との自由意志によって二酸化炭素排出権の売買価格を決定する（変動相場制）システムも可能である。
【００５１】
変動相場制にて二酸化炭素排出権の売買価格を決定するようにした場合、センタ１内に二酸化炭素排出権の売買市場が開かれており、各エンティティは任意の時期に二酸化炭素排出権の売買を行うことができる。この場合にも二酸化炭素排出権の売買はインターネット２を介して行われ、その代金もインターネット２による電子マネーによって決済される。各エンティティは、インターネット２により、二酸化炭素排出権の値動き（どのエンティティがいくらの価格で二酸化炭素排出権の売買を希望しているかを示す情報）を見ながら、売買のタイミングを決定する。よって、二酸化炭素排出権の価格に対するエンティティの関心が高まり、定額制と比べて二酸化炭素排出権の市場が更に活性化する。
【００５２】
以下、この変動相場制による二酸化炭素排出権の売買処理を図４のフローチャートを参照して説明する。センタ１は、二酸化炭素排出権の売買を希望するエンティティからの売買条件（希望売買価格，希望単位数）の申し込みを、インターネット２を介して受け付ける（ステップＳ１１）。その売り条件（または買い条件）に合致する買い条件（または売り条件）が他のエンティティから受け付けられていて売買が成立した場合（ステップＳ１２：ＹＥＳ）、売買が成立したことがインターネット２を介してそのエンティティへ通信され（ステップＳ１３）、その代金が電子決済される（ステップＳ１４）。条件が合わずに売買が成立しなかった場合（Ｓ１２：ＮＯ）、その旨がインターネット２を介してそのエンティティへ通信される（ステップＳ１５）。そして、そのエンティティから売買条件の変更がセンタ１にて受け付けられた場合には（ステップＳ１６：ＹＥＳ）、その条件で売買が成立するか否かが再び判断される（Ｓ１２）。
【００５３】
このような変動相場制にした場合、二酸化炭素排出権がエンティティにとって大きな資産価値を持つようになり、売買が促進されて、二酸化炭素排出権売買システム自体の更なる活性化を期待できる。
【００５４】
なお、二酸化炭素排出権の売買市場をセンタ１内に設けるようにしたが、センタ１以外の他の機関にその売買市場を開くようにしても良い。
【００５５】
次に、二酸化炭素排出権の売買を変動相場制とした場合の本発明の具体例について説明する。図５は、その構成を示す模式図である。エンティティＸは具体的には化学工場であり、エンティティＹは太陽光発電システム５を設備した新エネルギ会社である。新エネルギ会社Ｙは、発電した電力量に応じた例えば２００単位数の二酸化炭素排出権をセンタ１から得たとする。一方、化学工場Ｘは、取得している二酸化炭素排出権に応じた排出量より実際の二酸化炭素の排出量が多くなってその超過量に応じた例えば１０００単位数の二酸化炭素排出権を購入する指示をセンタ１から受けたとする。
【００５６】
新エネルギ会社Ｙは、得た二酸化炭素排出権を売却したい場合、その１単位数当たりの売却希望価格をインターネット２を介してセンタ１に知らせる。一方、化学工場Ｘは、二酸化炭素排出権の１単位数当たりの購入希望価格をインターネット２を介してセンタ１に知らせる。そして、この売却希望価格と購入希望価格とが一致した場合に、２００単位数での売買が成立する。この売買は、証券取引所で行われている株券売買と同様である。
【００５７】
この売買の結果、２００単位数分の二酸化炭素排出権が新エネルギ会社Ｙから化学工場Ｘへ移動し、化学工場Ｘは、この購入した２００単位数をセンタ１から指示された１０００単位数の一部に充てる。新エネルギ会社Ｙは、発電した電力料金以外にも二酸化炭素排出権の売却によって利益を上げたことになる。
【００５８】
なお、以上の実施の形態では、太陽光発電の電力量に応じて二酸化炭素排出権が付与されるようにしたが、太陽光発電以外の二酸化炭素排出を伴わない発電、例えば風力発電，地熱発電等についても、その電力量に応じて二酸化炭素排出権が付与されるようにしても良いことは勿論である。
【００５９】
また、上述した実施の形態では、インターネット２を介した売買によってエンティティ間での二酸化炭素排出権の取引を行うこととしたが、インターネット２を介した二酸化炭素排出権の譲渡，インターネット２を介した他の商品との交換等によって、エンティティ間での二酸化炭素排出権の取引を行うようにしても良い。
【図面の簡単な説明】
【００６０】
【図１】本発明の二酸化炭素排出権の取引システムの実施の形態の構成を示す模式図である。
【図２】センタの機能構成を示すブロック図である。
【図３】本発明での二酸化炭素排出権の売買におけるセンタでの管理動作の手順を示すフローチャートである。
【図４】変動相場制による二酸化炭素排出権の売買処理の流れを示すフローチャートである。
【図５】本発明の二酸化炭素排出権の取引システムの具体例の構成を示す模式図である。
【図６】本発明の二酸化炭素排出権の取引システムの原理構成を示す模式図である。
【図７】本発明の二酸化炭素排出権の取引方法による処理手順を示すフローチャートである。
【図８】本発明の二酸化炭素排出権の取引方法による処理手順を示すフローチャートである。
【図９】本発明の二酸化炭素排出権の取引方法による処理手順を示すフローチャートである。
【符号の説明】
【００６１】
１  センタ
２  インターネット
３  排出量モニタ装置
４  電力量モニタ装置
５  太陽光発電システム
１１  ＣＰＵ
１２  ＲＯＭ
１５  第１データベース
１６  第２データベース
２０  データ通信網
Ａ，Ｂ，…Ｘ，Ｙ，Ｚ  エンティティ
【図１】
2007080299.tif 000003
【図２】
2007080299.tif 000004
【図３】
2007080299.tif 000005
【図４】
2007080299.tif 000006
【図５】
2007080299.tif 000007
【図６】
2007080299.tif 000008
【図７】
2007080299.tif 000009
【図８】
2007080299.tif 000010
【図９】
2007080299.tif 000011